(57)【特許請求の範囲】
【請求項１】
室の床から空気を上方に吹き出して前記室の空調を行う床吹き出しの空調システムであって、
前記室の天井の上部に設けられた天井チャンバと、
前記室の床の下部に設けられた床チャンバと、
前記床チャンバの下部に接して形成された蓄熱媒体と、
外部熱源設備から供給される熱媒と熱交換した空気を前記床チャンバに供給する空調機と、
前記天井チャンバと前記空調機を連通する吸気ダクトと、
前記床チャンバと前記空調機を連通するバイパスダクトと、
前記吸気ダクトを通る空気の風量を調整する第１ダンパと、
前記バイパスダクトを通る空気の風量を調整する第２ダンパと、
制御対象日の昼間において、前記室の空調と同時に、前記蓄熱媒体に蓄熱させるように前記第１ダンパの開度と前記第２ダンパの開度とを連動して制御する制御装置と、
を備え、
前記制御装置は、
前記制御対象日の前記室の温度が設定温度になるために必要な熱負荷を単位時間ごとに決定する負荷決定部と、
前記制御対象日の昼間の第１の時間帯において削減する前記熱負荷の削減熱量を取得する削減負荷取得部と、
前記制御対象日の昼間の時間帯であって前記第１の時間帯の前の第２の時間帯における各単位時間の前記熱負荷である第１の熱負荷に対して閾値を超えないように前記削減熱量を分配し、前記分配後の前記熱負荷である第２の熱負荷を、前記第２の時間帯における各単位時間の外部熱源設備の熱負荷として決定する補充熱量決定部と、
前記第２の時間帯において、前記第１の熱負荷を前記室に放出すると同時に前記削減熱量に相当する熱量が前記蓄熱媒体に蓄熱されるように前記第１ダンパ及び前記第２ダンパの開度を前記第２の時間帯の単位時間ごとに決定することで、前記制御対象日の昼間において前記室の空調と前記蓄熱媒体への蓄熱とを同時に実行するダンパ開度決定部と、
を備えることを特徴とする空調システム。
【請求項２】
前記削減負荷取得部は、デマンドレスポンス要求として、前記第１の時間帯で削減する前記削減熱量を取得する請求項１に記載の空調システム。
【発明の詳細な説明】
【技術分野】
【０００１】
本発明は、空調システムに関する。
【背景技術】
【０００２】
従来、オフィスビル等の建物において、床面から床上の室内に向かって空気を吹き出すことで室内の空調を行う床吹き出し方式の空調システムが知られている（特許文献１参照）。
【０００３】
図８は、従来の空調システムの一例を示す図である。図８に示すように、従来の空調システム３００は、天井チャンバ３１０、ダンパ３１１、床チャンバ３１２、蓄熱媒体であるコンクリートスラブ３１４及び空調機３２０を備えている。
【０００４】
図８に示す空調システム３００では、夜間等の低負荷時に床チャンバ３１２内の空気を循環させ、蓄熱媒体であるコンクリートスラブ３１４を蓄熱する蓄熱運転を行う。そして、空調システム３００は、昼間のオフィスアワー等に、ダンパを開けて空調機３２０からの空気を床チャンバ３１２から室３１３に供給する空調運転を行うことで、コンクリートスラブ３１４に蓄熱した熱を放出する。これにより、空調システム３００では、日中等のピーク負荷時において、予め蓄熱運転でコンクリートスラブ３１４に蓄熱した熱を利用することで負荷のピークカットを行う。これにより、空調システム３００は、熱源機の容量低減やランニングコストの軽減を図っている。
【先行技術文献】
【特許文献】
【０００５】
【特許文献１】特許第３２９３０１０号公報
【発明の概要】
【発明が解決しようとする課題】
【０００６】
しかしながら、従来の空調システムでは、室内に供給する熱量と蓄熱媒体に蓄熱する熱量とが異なるため、コンクリートスラブ３１４に対する蓄熱と室内の空調とを同時に実施することができない。したがって、蓄熱運転時では、室内の空調運転を実施することができないため、室内の温度や湿度が変動し、不快な環境となる。
【０００７】
本発明は、このような事情に鑑みてなされたもので、その目的は、室内の空調を行いつつ、蓄熱媒体に対する蓄熱を行う空調システムを提供することである。
【課題を解決するための手段】
【０００８】
本発明の一態様は、室の床から空気を上方に吹き出して前記室の空調を行う床吹き出しの空調システムであって、前記室の天井の上部に設けられた天井チャンバと、前記室の床の下部に設けられた床チャンバと、前記床チャンバの下部に接して形成された蓄熱媒体と、外部熱源設備から供給される熱媒と熱交換した空気を前記床チャンバに供給する空調機と、前記天井チャンバと前記空調機を連通する吸気ダクトと、前記床チャンバと前記空調機を連通するバイパスダクトと、前記吸気ダクトを通る空気の風量を調整する第１ダンパと、前記バイパスダクトを通る空気の風量を調整する第２ダンパと、制御対象日の昼間において、前記室の空調と同時に、前記蓄熱媒体に蓄熱させるように前記第１ダンパの開度と前記第２ダンパの開度とを連動して制御する制御装置と、を備え、前記制御装置は、前記制御対象日の前記室の温度が設定温度になるために必要な熱負荷を単位時間ごとに決定する負荷決定部と、前記制御対象日の昼間の第１の時間帯において削減する前記熱負荷の削減熱量を取得する削減負荷取得部と、前記制御対象日の昼間の時間帯であって前記第１の時間帯の前の第２の時間帯における各単位時間の前記熱負荷である第１の熱負荷に対して閾値を超えないように前記削減熱量を分配し、前記分配後の前記熱負荷である第２の熱負荷を、前記第２の時間帯における各単位時間の外部熱源設備の熱負荷として決定する補充熱量決定部と、前記第２の時間帯において、前記第１の熱負荷を前記室に放出すると同時に前記削減熱量に相当する熱量が前記蓄熱媒体に蓄熱されるように前記第１ダンパ及び前記第２ダンパの開度を前記第２の時間帯の単位時間ごとに決定することで、前記制御対象日の昼間において前記室の空調と前記蓄熱媒体への蓄熱とを同時に実行するダンパ開度決定部と、を備えることを特徴とする空調システムである。
【０００９】
また、本発明の一態様は、上述の空調システムであって、前記削減負荷取得部は、デマンドレスポンス要求として、前記第１の時間帯で削減する前記削減熱量を取得する。
【発明の効果】
【００１１】
以上説明したように、本発明によれば、室内の空調を行いつつ、蓄熱媒体に対する蓄熱を行う空調システムを提供することができる。
【図面の簡単な説明】
【００１２】
【図１】本実施形態における空調システム１の構成例を示すブロック図である。
【図２】本実施形態における制御装置１００の構成例を示す図である。
【図３】本実施形態における負荷決定部１１０が決定した１日の熱負荷Ｑ１の一例を示す図である。
【図４】本実施形態における削減負荷取得部１２０が取得した制御対象日の削減熱量Ｑ２を示す図である。
【図５】本実施形態における補充熱量決定部１３０が決定した蓄熱量Ｑ３及び蓄熱量Ｑ３を床スラブ１４に蓄熱する時間帯の一例を示す図である。
【図６】本実施形態における空調システム１の空気の流れを示す図である。
【図７】本実施形態における空調システム１の制御装置１００の動作の流れを示す図である。
【図８】従来の空調システムの構成例を示すブロック図である。
【発明を実施するための形態】
【００１３】
以下、実施形態の空調システムを図面を参照して説明する。
図１は、本実施形態の空調システム１の構成例を示すブロック図である。本実施形態の空調システム１は、床コンクリートスラブ（蓄熱媒体）の蓄熱量を利用した床吹き出し空調システムである。図１において、室１０の空調システム１は、第１ダンパ１１、第２ダンパ１２、空調機１６、吸気ダクト１７、吐出ダクト１８、バイパスダクト１９及び制御装置１００を備えている。
【００１４】
室１０の底部（床）には多数の給気孔を有する床部材３１が配設されて形成されている。また、床部材３１の下部に床チャンバ１５が形成されている。すなわち、室１０の床面が二重床構造のいわゆるＯＡフロアとして構成されている。ＯＡフロア（床）の構造は、穴（給気孔）を有する床吹出し方式でもよいし、穴（給気孔）を有するＯＡフロアと通気性カーペットとを備える全面床吹き出し方式でもよい。
床チャンバ１５の下部には、蓄熱媒体、例えば鉄筋コンクリート造の床スラブ１４が形成されている。
【００１５】
室１０の天井には、複数の排気孔を有する天井部材３０が配設され形成されている。また、天井部材３０の上部には天井チャンバ１３が形成されている。
天井チャンバ１３には、吸気ダクト１７が接続されている。吸気ダクト１７は、第１ダンパ１１を介して空調機１６に接続されている。
【００１６】
第１ダンパ１１は、制御装置１００からの制御信号に基づいて吸気ダクト１７の風量を調節する。すなわち、第１ダンパ１１は、室１０から空調機１６に供給される風量を調節する。
【００１７】
床チャンバ１５には、吐出ダクト１８の一端が接続されている。吐出ダクト１８は、他端が空調機１６に接続されている。
【００１８】
床チャンバ１５には、バイパスダクト１９が接続されている。バイパスダクト１９は、第２ダンパ１２を介して吸気ダクト１７に接続されている。すなわち、床チャンバ１５と空調機１６とは、第２ダンパ１２が介挿されたバイパスダクト１９により接続されている。
よって、バイパスダクト１９は、床チャンバ１５と空調機１６との間を連通する。
【００１９】
第２ダンパ１２は、制御装置１００からの制御信号に基づいてバイパスダクト１９の風量を調節する。すなわち、第２ダンパ１２は、床チャンバ１５から空調機１６に供給される風量を調節する。
【００２０】
空調機１６は、吸気ダクト１７又はバイパスダクト１９から空気が供給され、供給された空気を予め設定された温度である設定温度まで冷却（又は加熱）する。そして、空調機１６は、設定温度まで冷却した空気を吐出ダクト１８を通して床チャンバ１５に供給し、床チャンバ１５の給気孔から室１０に吹き出す。
【００２１】
空調機１６は、熱交換器２０及び給気用ファン２３を備えている。
空調機１６は、外部熱源設備４０から熱交換器２０へ供給される冷水等の熱媒と熱交換することで、空気の温度、湿度を調節する。そして、空調機１６は、調節した空気（冷気）を、給気用ファン２３を用いて床チャンバ１５に供給する。
【００２２】
熱交換器２０には、外部熱源設備４０（例えば冷凍機）からの冷水往き管２４と冷水還り管２５とが接続されている。冷水往き管２４には、冷水ポンプ２１が接続されている。
冷水ポンプ２１は、制御装置１００からの制御信号を基づいて、冷水を冷水往き管２４を介して熱交換器２０に供給する。
【００２３】
図２は本実施形態における制御装置１００の構成例を示す図である。
制御装置１００は、負荷決定部１１０、削減負荷取得部１２０、補充熱量決定部１３０、ダンパ開度決定部１４０及び出力決定部１５０を備えている。
【００２４】
負荷決定部１１０は、制御対象日の室１０の温度が設定温度になるために必要な室１０の熱負荷Ｑ１を制御時間毎に決定する。例えば、負荷決定部１１０は、モデル予測制御、ＡＮＮ（Artificial Neural Network）及びカルマンフィルタ等の予測手法を用いて熱負荷Ｑ１を決定してもよい。例えば、負荷決定部１１０は、図３に示す単位時間毎（例えば、１時間毎）に熱負荷Ｑ１を予測する。図３は、負荷決定部１１０が決定した１日の熱負荷Ｑ１の一例を示す図である。図３に示すように、横軸が時刻、縦軸が熱負荷を示す。
【００２５】
削減負荷取得部１２０は、制御対象日の外部熱源設備４０の負荷を削減する熱量（以下、「削減熱量」という。）Ｑ２を取得する。より具体的には、削減負荷取得部１２０は、所定の時間帯（以下、「第１の時間帯」という。）の外部熱源設備４０の負荷の削減熱量Ｑ２を取得する。この削減熱量Ｑ２は、外部熱源設備４０の負荷（例えば電力）を低減させる熱量である。削減負荷取得部１２０は、例えば、不図示のスマートグリッドや電力会社等からデマンドレスポンス（ＤＲ）要求として外部熱源設備４０の負荷の削減熱量Ｑ２を取得してもよい。例えば、削減負荷取得部１２０は、図４に示す外部熱源設備４０の負荷に対する削減熱量Ｑ２を取得したとする。すなわち、図４に示すように、空調システム１は、外部熱源設備４０の負荷に対して、１４：００から１５：００の間で５０ｋｃａｌ、１５：００から１６：００の間で４０ｋｃａｌ、１６：００から１７：００の間で２０ｋｃａｌの削減熱量Ｑ２を削減する。なお、第１の時間帯は、１４：００から１７：００までの時間帯となる。
【００２６】
補充熱量決定部１３０は、削減負荷取得部１２０で取得した第１の時間帯における削減熱量Ｑ２に基づいて、床スラブ１４に蓄熱する時間帯及び蓄熱量Ｑ３を決定する。
【００２７】
補充熱量決定部１３０は、第１の時間帯の熱量Ｑ１に対して削減熱量Ｑ２を減算し、減算した熱量を外部熱源設備４０の負荷Ｑ４＝Ｑ１−Ｑ２とする。補充熱量決定部１３０は、削減負荷取得部１２０で取得した熱負荷Ｑ１の削減熱量Ｑ２と略同一の熱量を床スラブ１４に蓄熱する熱量（以下、「蓄熱量」という。）Ｑ３とする。そして、補充熱量決定部１３０は、第２の時間帯の熱負荷Ｑ１に対して、その熱負荷Ｑ１が所定の負荷になるまで蓄熱量Ｑ３を分配し、分配後の熱負荷Ｑ１を外部熱源設備４０の負荷Ｑ４＝Ｑ１＋Ｑ３とする。なお、第２の時間帯とは、外部熱源設備４０の負荷を削減する時間帯である第１の時間帯以前であり、床スラブ１４に蓄熱する時間帯である。なお、所定の負荷とは、予め設定された外部熱源設備４０の負荷の閾値であり、例えば買電電力の目標値である。図５は、補充熱量決定部１３０が決定した単位時間毎の外部熱源設備４０の負荷を示す図である。
【００２８】
例えば、上述したように、負荷決定部１１０は、図３に示すように、熱負荷Ｑ１を予測したとする。そして、削減負荷取得部１２０は、図４に示すように、１４：００から１７：００の間で１１０ｋｃａｌの削減熱量Ｑ２を取得したとする。したがって、補充熱量決定部１３０は、１４：００から１５：００の熱負荷Ｑ１＝１２０ｋｃａｌから削減熱量Ｑ２＝５０ｋｃａｌを減算し、減算した熱負荷７０ｋｃａｌを１４：００から１５：００の外部熱源設備４０の負荷Ｑ４とする。補充熱量決定部１３０は、１５：００から１６：００の熱負荷Ｑ１＝１１０ｋｃａｌから削減熱量Ｑ２＝４０ｋｃａｌを減算し、減算した熱負荷７０ｋｃａｌを１５：００から１６：００の外部熱源設備４０の負荷Ｑ４とする。補充熱量決定部１３０は、１６：００から１７：００の熱負荷Ｑ１＝９０ｋｃａｌから削減熱量Ｑ２＝２０ｋｃａｌを減算し、減算した熱負荷７０ｋｃａｌを１６：００から１７：００の外部熱源設備４０の負荷Ｑ４とする。
【００２９】
また、補充熱量決定部１３０は、１１０ｋｃａｌの削減熱量Ｑ２を蓄熱量Ｑ３とし、９：００から１４：００までの間の時間帯において、熱負荷Ｑ１が所定の負荷（１１０ｋｃａｌ）を超えないように蓄熱量Ｑ３を分配する。補充熱量決定部１３０は、９：００から１０：００の熱負荷Ｑ１＝１００ｋｃａｌに蓄熱量Ｑ３＝１０ｋｃａｌを加算し、加算した熱負荷１１０ｋｃａｌを９：００から１０：００の外部熱源設備４０の負荷Ｑ４とする。補充熱量決定部１３０は、１０：００から１１：００の熱負荷Ｑ１＝９０ｋｃａｌに蓄熱量Ｑ３＝２０ｋｃａｌを加算し、加算した熱負荷１１０ｋｃａｌを１０：００から１１：００の外部熱源設備４０の負荷Ｑ４とする。補充熱量決定部１３０は、１１：００から１２：００の熱負荷Ｑ１＝９０ｋｃａｌに蓄熱量Ｑ３＝２０ｋｃａｌを加算し、加算した熱負荷１１０ｋｃａｌを１１：００から１２：００の外部熱源設備４０の負荷Ｑ４とする。補充熱量決定部１３０は、１２：００から１３：００の熱負荷Ｑ１＝６０ｋｃａｌに蓄熱量Ｑ３＝５０ｋｃａｌを加算し、加算した熱負荷１１０ｋｃａｌを１２：００から１３：００の外部熱源設備４０の負荷Ｑ４とする。補充熱量決定部１３０は、１３：００から１４：００の熱負荷Ｑ１＝１００ｋｃａｌに蓄熱量Ｑ３＝１０ｋｃａｌを加算し、加算した熱負荷１１０ｋｃａｌを１３：００から１４：００の外部熱源設備４０の負荷Ｑ４とする。
【００３０】
このように、補充熱量決定部１３０は、負荷決定部１１０で取得した熱負荷Ｑ１及び削減負荷取得部１２０で取得した削減熱量Ｑ２に基づいて単位時間毎の外部熱源設備４０の負荷Ｑ４を決定する。なお、第２の時間帯は、９：００から１４：００の時間帯である。
【００３１】
ダンパ開度決定部１４０は、補充熱量決定部１３０で決定された単位時間毎の外部熱源設備４０の負荷Ｑ４に基づいて、第１ダンパ１１の開度及び第２ダンパ１２の開度を単位時間毎に決定する。なお、第１ダンパ１１の開度と第２ダンパ１２の開度とは連動して動作する。例えば、第１ダンパ１１の開度がｙ％である場合、第２ダンパ１２の開度は、（１−ｙ）％となる。そして、ダンパ開度決定部１４０は、第１ダンパ１１及び第２ダンパ１２に、それぞれ決定した開度に基づいた制御信号を出力する。
【００３２】
出力決定部１５０は、補充熱量決定部１３０で決定された単位時間毎の外部熱源設備４０の負荷Ｑ４に基づいて、熱負荷Ｑ１、冷水ポンプ２１の出力及び給気用ファン２３の風量を単位時間毎に調整する。
【００３３】
次に、本実施形態における空調システム１において、床スラブ１４に蓄熱しない場合（通常モード）の空気の流れを示す。なお、通常モードは、図５の８：００から９：００の時間帯での空調システム１の動作である。図６は、本実施形態における空調システム１の空気の流れを示す図である。また、図６において、第１ダンパ１１又は第２ダンパ１２が閉じている場合、黒丸で示し、空いている場合は白丸で示す。
【００３４】
図６（ａ）は、通常モードの場合の空調システム１の空気の流れを示す図である。通常モードの場合、第１ダンパ１１の開度をｙ１％（例えば、１００％）に開き、第２ダンパ１２の開度を閉じる。したがって、空調システム１は、空調機１６からの空気を、吐出ダクト１８を通して床チャンバ１５に供給し、床チャンバ１５の給気孔から室１０に吹き出す。これにより、８：００から９：００に間において、熱負荷Ｑ１（図５に示す１２０ｋｃａｌ）の空気が室１０に放出される。そして、室１０内を空調した空気は、天井チャンバ１３及び吸気ダクト１７を経由し、空調機１６に循環される。なお、この際、外部熱源設備４０の負荷Ｑ４は、熱負荷Ｑ１である。
【００３５】
次に、本実施形態における空調システム１において、床スラブ１４に蓄熱する場合（蓄熱モード）の空気の流れを示す。なお、蓄熱モードは、図５の９：００から１４：００の時間帯での空調システム１の動作である。
【００３６】
図６（ｂ）は、蓄熱モードの場合の空調システム１の空気の流れを示す図である。蓄熱モードの場合、第１ダンパ１１の開度をｙ２（＜ｙ１）％に開き、第２ダンパ１２の開度を（１−ｙ２）％に開く。したがって、空調システム１は、空調機１６からの空気を吐出ダクトを通して床チャンバ１５に供給し、その供給した空気の一部、すなわち熱負荷Ｑ１を床チャンバ１５の給気孔から室１０に供給する。そして、室１０内を空調した空気は、天井チャンバ１３及び吸気ダクト１７を経由し、空調機１６に循環される。また、空調システム１は、空調機１６から床チャンバ１５に供給した空気の他の一部をバイパスダクト１９を介して、空調機１６に循環する。その際、空調システム１は、床スラブ１４に蓄熱量Ｑ３を蓄熱する。例えば、図５の９：００から１０：００の時間帯を例にとると、熱量１００ｋｃａｌの空気が室１０に放出され、熱量１０ｋｃａｌが床スラブ１４に蓄熱される。したがって、蓄熱モードの場合、空調システム１は、熱負荷Ｑ１を室１０に放出すると同時に、床スラブ１４に蓄熱量Ｑ３を蓄熱する。なお、この際、外部熱源設備４０の負荷Ｑ４は、熱負荷Ｑ１＋蓄熱量Ｑ３となる。
【００３７】
次に、本実施形態における空調システム１において、床スラブ１４に蓄熱された熱量を放出する場合（放熱モード）の空気の流れを示す。なお、放熱モードは、図５の１４：００から１７：００の時間帯での空調システム１の動作である。
【００３８】
図６（ｃ）は、放熱モードの場合の空調システム１の空気の流れを示す図である。放熱モードの場合、第１ダンパ１１の開度をｙ１％（例えば、１００％）に開き、第２ダンパ１２の開度を閉める。また、空調システム１は、外部熱源設備４０の負荷を下げる。
空調システム１は、空調機１６からの空気を吐出ダクト１８を通して床チャンバ１５に供給し、その供給した空気の一部、すなわち熱負荷Ｑ１−削減熱量Ｑ２を床チャンバ１５の給気孔から室１０に吹き出す。そして、室１０内を空調した空気は、天井チャンバ１３及び吸気ダクト１７を経由し、空調機１６に循環される。また、この際、空調システム１は、床スラブ１４に蓄熱した蓄熱量Ｑ３を室１０に放出する。例えば、図５の１５：：００から１６：００の時間帯を例にとると、熱量１１０ｋｃａｌ（Ｑ１−Ｑ２＝７０ｋｃａｌ、Ｑ３＝５０ｋｃａｌ）の空気が室１０に放出される。そして、室１０内を空調した空気は、天井チャンバ１３及び吸気ダクト１７を経由し、空調機１６に循環される。なお、この際、外部熱源設備４０の負荷Ｑ４は、熱負荷Ｑ１−削減熱量Ｑ２となる。すわなち、空調システム１は、熱負荷Ｑ１とともに床スラブ１４に蓄熱した蓄熱量Ｑ３を室１０に放出することで、外部熱源設備４０の負荷を削減熱量Ｑ２分低減させながら、予め設定された熱負荷Ｑ１分の熱量を室１０に放出することができる。
【００３９】
次に、本実施形態における空調システム１の制御装置１００の動作について説明する。図７は、本実施形態における空調システム１の制御装置１００の動作の流れを示す図である。
【００４０】
ステップＳ２０１において、負荷決定部１１０は、モデル予測制御、ＡＮＮ（Artificial Neural Network）及びカルマンフィルタ等の予測手法を用いて、制御対象日の室１０の温度が設定温度になるために必要な室１０の熱負荷Ｑ１を決定する。
【００４１】
ステップＳ２０２において、削減負荷取得部１２０は、スマートグリッドや電力会社等からデマンドレスポンス（ＤＲ）要求として、制御対象日の所定の時間帯における外部熱源設備４０の負荷の削減熱量Ｑ２を取得する。
【００４２】
ステップＳ２０３において、補充熱量決定部１３０は、削減負荷取得部１２０で取得した熱負荷Ｑ１の削減熱量Ｑ２と略同一の熱量を床スラブ１４に蓄熱する蓄熱量Ｑ３とする。そして、補充熱量決定部１３０は、第２の時間帯の熱量Ｑ１に熱量Ｑ３を加算し、その加算値を第２の時間帯における外部熱源設備４０の負荷Ｑ４とする。また、補充熱量決定部１３０は、第１の時間帯の熱量Ｑ１に対して削減熱量Ｑ２を減算し、減算した値を第１の時間帯における外部熱源設備４０の負荷Ｑ４とする。
【００４３】
ステップＳ２０４において、ダンパ開度決定部１４０は、補充熱量決定部１３０で決定された単位時間毎の熱負荷Ｑ１に基づいて、第１ダンパ１１の開度及び第２ダンパ１２の開度を単位時間毎に決定する。ダンパ開度決定部１４０は、第１ダンパ１１及び第２ダンパ１２に、それぞれ決定した開度に基づいた制御信号を出力する。
【００４４】
ステップＳ２０５において、出力決定部１５０は、補充熱量決定部１３０で決定された単位時間毎の外部熱源設備４０の負荷Ｑ４に基づいて、外部熱源設備４０の出力を単位時間毎に調整する。
【００４５】
上述したように、本実施形態の空調システム１では、室内の空気を循環させる吸気ダクト１７及び吸気ダクト１７の風量を調整する第１ダンパ１１と、床スラブ１４に設けられた床チャンバ１５内の空気を循環させるバイパスダクト１９及びバイパスダクト１９の風量を調整する第２ダンパ１２とを備える。そして、空調システム１は、第１ダンパ１１及び第２ダンパ１２の開度を連動させて調整することで、蓄熱運転と空調運転とを同時に実施することができる。したがって、蓄熱運転時においても、室内の温度や湿度を設定値に保ち、室内の快適性を損なうことない。
【００４６】
以上、この発明の実施形態を図面を参照して詳述してきたが、具体的な構成は上述の実施形態に限られるものではなく、この発明の要旨を逸脱しない範囲の設計等も含まれる。
上述の実施形態では、バイパスダクト１９が吸気ダクト１７に接続されているが、これに限定されない。例えば、バイパスダクト１９は、空調機１６に直接接続されてもよい。
【符号の説明】
【００４７】
１  空調システム
１０  室
１１  第１ダンパ
１２  第２ダンパ
１４  床スラブ
１５  床チャンバ
１６  空調機
１７  吸気ダクト
１８  吐出ダクト
１９  バイパスダクト
２０  熱交換器
２１  冷水ポンプ
２３  給気用ファン
４０  外部熱源設備
１００  制御装置
【図１】
0006528261.tif 000002
【図２】
0006528261.tif 000003
【図３】
0006528261.tif 000004
【図４】
0006528261.tif 000005
【図５】
0006528261.tif 000006
【図６】
0006528261.tif 000007
【図７】
0006528261.tif 000008
【図８】
0006528261.tif 000009